(57)【特許請求の範囲】
【請求項１】
ケーシングの内周面に吸引リング溝（１）、リング案内路（２）、及び還流リング溝（３）を有し、自己循環流路を形成する非軸対称自己循環ケーシングトリートメントを有する遠心圧縮機において、
前記吸引リング溝の上流側端面のインペラ全羽根前縁（４）に対する軸方向距離Ｓｒ又は前記吸引リング溝の幅ｂｒがＡ・ｓｉｎ（α＋θ０）＋Ａ０で表され、円周方向において正弦状に分布し、
初期位相角θ０の範囲が０°≦θ０≦３６０°であり、
ケーシングの周方向角度αの定義域がθ０≦α≦θ０＋３６０°であり、
Ａは前記軸方向距離Ｓｒ又は前記幅ｂｒの分布の振幅であり、
Ａ０は前記軸方向距離Ｓｒ又は前記幅ｂｒの平均値である、ことを特徴とする非軸対称自己循環ケーシングトリートメントを有する遠心圧縮機。
【請求項２】
前記吸引リング溝の前記軸方向距離Ｓｒの平均値Ａ０とインペラ直径Ｄとの比率が、０．０５≦｜Ａ０／Ｄ｜＜０．２の範囲であり、
前記軸方向距離Ｓｒの分布の振幅Ａと前記平均値Ａ０との比率は０．１＜｜Ａ／Ａ０｜＜０．３５の範囲である、ことを特徴とする請求項１に記載の非軸対称自己循環ケーシングトリートメントを有する遠心圧縮機。
【請求項３】
前記吸引リング溝の前記幅ｂｒの平均値Ａ０とインペラ直径Ｄとの比率が、０．０１≦｜Ａ０／Ｄ｜＜０．１の範囲であり、
前記幅ｂｒの分布の振幅Ａと前記平均値Ａ０との比率は０．１＜｜Ａ／Ａ０｜＜０．３５の範囲である、ことを特徴とする請求項１に記載の非軸対称自己循環ケーシングトリートメントを有する遠心圧縮機。
【請求項４】
前記ケーシングは、外殻（５）と中子（６）からなり、
前記吸引リング溝（１）は、中子（６）の壁面に設けられ、前記外殻の内壁面と中子の外壁面が前記リング案内路（２）と還流リング溝（３）を形成する、ことを特徴とする請求項１乃至３のいずれか一項に記載の非軸対称自己循環ケーシングトリートメントを有する遠心圧縮機。
【発明の詳細な説明】
【技術分野】
【０００１】
本発明は、非軸対称自己循環ケーシングトリートメントを有する遠心圧縮機に関する。遠心圧縮機は、車両や船舶用過給機、産業用圧縮機、航空エンジンなど、各種用途のターボ機械に用いられる。
【背景技術】
【０００２】
遠心圧縮機を用いたターボ式圧縮機は、往復動式圧縮機に対し、効率が高く、重量が軽く、運転が安定している等の長所があるが、その許容作動範囲（すなわち、遠心圧縮機の流量範囲）が限られている。
遠心圧縮機の小流量作動点（すなわち、圧縮機の流量が小さい場合）では、内部の流れ場において大幅な流体剥離などの不安定現象が生じて、失速ひいてはサージをもたらす。その結果、圧縮機の効率と圧力比の急速な低下を招き、寿命が短縮し、ひいては、短時間に損傷してしまう。そのため、様々な対策を採用することで、圧縮機の失速等の不安定現象を抑制して、その安定作動範囲を拡大させている。【０００３】
例えば、安定作動範囲を拡大させるために、遠心圧縮機のケーシングトリートメントが用いられている。ケーシングトリートメントは、例えば、特許文献１〜５に開示されている。【０００４】
ケーシングトリートメントでは、特許文献１〜５のように、遠心圧縮機のインペラを囲むケーシングの内周面において、インペラ前縁より下流の環状入口と、インペラ前縁より上流の環状出口を形成する。これにより、遠心圧縮機への流入流量が少ない場合、環状入口からケーシング内部を通って環状出口へ流体を戻すことで、インペラへの流入流量をみかけ上増加させている。その結果、失速等の不安定現象を抑制して、遠心圧縮機の安定作動範囲が拡大する。
【先行技術文献】
【特許文献】
【０００５】
【特許文献１】特許第３００１９０２号
【特許文献２】特開２００７−１２７１０９号公報
【特許文献３】特許第４１０００３０号
【特許文献４】特許第４１０７８２３号
【特許文献５】米国特許第４９３０９７９号
【発明の概要】
【発明が解決しようとする課題】
【０００６】
上述したように、現在、ケーシングトリートメントは、遠心圧縮機の安定作動範囲を拡大する有効な手段であると考えられている。【０００７】
従来のケーシングトリートメントは、インペラの回転軸に対して軸対称に構成されている。以下、回転軸に対して軸対称のケーシングトリートメントを「軸対称ケーシングトリートメント」、回転軸に対して非対称のケーシングトリートメントを「非軸対称ケーシングトリートメント」と呼ぶ。
【０００８】
軸対称ケーシングトリートメントを有する遠心圧縮機の場合、ケーシングのスクロール流路がインペラの回転軸に対して非対称に構成されているため、設計範囲を外れる小流量時に、スクロール流路の非対称性によってインペラ出口における流れに周方向のゆがみが生じ、上流側の流動パラメータに影響を及ぼして、圧縮機のインペラ及び羽根なしディフューザ内部の周方向流動パラメータが非対称性を呈することになる。【０００９】
従来の軸対称ケーシングトリートメントの構成は、圧縮機内部における流れ場の非対称性の特徴を考慮していないので、ケーシングトリートメントによる安定作動範囲の拡大効果を周方向全周では達成することができない。そのため、周方向全周における最適な安定作動範囲の拡大効果を実現するために、非軸対称の自己循環ケーシングトリートメントを採用する必要がある。
【００１０】
図１Ａは自己循環ケーシングトリートメントを有する遠心圧縮機の半断面図であり、図１Ｂは自己循環ケーシングトリートメントの説明図である。
図１Ａにおいて、インペラ１３は、インペラ全羽根１１とインペラ半羽根１２とを有する。またＺ−Ｚはインペラ１３の回転軸中心である。図１Ａと図１Ｂに示すように、自己循環ケーシングトリートメントは、一般的に、吸引リング溝１、リング案内路２、及び還流リング溝３からなる。自己循環ケーシングトリートメントの主な構成パラメータは、吸引リング溝１のインペラ全羽根前縁４に対する軸方向距離Ｓｒと、吸引リング溝の幅ｂｒと、還流リング溝３のインペラ全羽根前縁４に対する軸方向距離Ｓｆと、還流リング溝３の幅ｂｆと、還流リング溝３の深さｈｂと、リング案内路２の幅ｂｂである。【００１１】
インペラ全羽根前縁４に対する吸引リング溝１の軸方向距離Ｓｒや吸引リング溝１の幅ｂｒが、還流圧力差と還流流量を直接決め、作動範囲の拡大効果に対する影響が大きいことが研究から明らかになった。このため、円周方向における吸引リング溝の軸方向距離Ｓｒ又は幅ｂｒの分布を適正に設計することは、非軸対称自己循環ケーシングトリートメントにより遠心圧縮機の作動範囲を拡大するためのキーポイントである。
【００１２】
本発明は上述した要望を満たすために創案されたものである。すなわち本発明の目的は、インペラ全羽根前縁に対する吸引リング溝の軸方向距離Ｓｒ又は吸引リング溝の幅ｂｒの円周方向分布を最適化することによって、効率を維持したままで、安定作動範囲を低流量側に拡大することができる非軸対称自己循環ケーシングトリートメントを有する遠心圧縮機を提供することにある。
【課題を解決するための手段】
【００１３】
本発明は、ケーシングの内周面に吸引リング溝（１）、リング案内路（２）、及び還流リング溝（３）を有し、自己循環流路を形成する非軸対称自己循環ケーシングトリートメントを有する遠心圧縮機において、
前記吸引リング溝の上流側端面のインペラ全羽根前縁（４）に対する軸方向距離Ｓｒ又は前記吸引リング溝の幅ｂｒがＡ・ｓｉｎ（α＋θ０）＋Ａ０で表され、円周方向において正弦状に分布し、
初期位相角θ０の範囲が０°≦θ０≦３６０°であり、
ケーシングの周方向角度αの定義域がθ０≦α≦θ０＋３６０°であり、
Ａは前記軸方向距離Ｓｒ又は前記幅ｂｒの分布の振幅であり、
Ａ０は前記軸方向距離Ｓｒ又は前記幅ｂｒの平均値である、ことを特徴とするものである。
【００１４】
本発明の一実施形態において、前記吸引リング溝の前記軸方向距離Ｓｒの平均値Ａ０とインペラ直径Ｄとの比率が、０．０５≦｜Ａ０／Ｄ｜＜０．２の範囲であり、
前記軸方向距離Ｓｒの分布の振幅Ａと前記平均値Ａ０との比率は０．１＜｜Ａ／Ａ０｜＜０．３５の範囲である。【００１５】
また本発明の別の実施形態において、前記吸引リング溝の前記幅ｂｒの平均値Ａ０とインペラ直径Ｄとの比率が、０．０１≦｜Ａ０／Ｄ｜＜０．１の範囲であり、
前記幅ｂｒの分布の振幅Ａと前記平均値Ａ０との比率は０．１＜｜Ａ／Ａ０｜＜０．３５の範囲である。【００１６】
前記ケーシングは、外殻（５）と中子（６）からなり、
前記吸引リング溝（１）は、中子（６）の壁面に設けられ、前記外殻の内壁面と中子の外壁面が前記リング案内路（２）と還流リング溝（３）を形成する。
【発明の効果】
【００１７】
従来の技術に比べ、本発明は、吸引リング溝の軸方向距離又は幅が、正弦状に分布する非軸対称自己循環ケーシングトリートメントを採用することで、軸対称自己循環ケーシングトリートメントよりも遠心圧縮機の安定作動範囲を大幅に拡大すると共に、効率が基本的に変わらないように維持することができる、ことが後述する実施例で確認された。
【図面の簡単な説明】
【００１８】
【図１Ａ】自己循環ケーシングトリートメントを有する遠心圧縮機の半断面図である。
【図１Ｂ】自己循環ケーシングトリートメントの説明図である。
【図２Ａ】ケーシングの外殻の正面模式図である。
【図２Ｂ】ケーシングの外殻の半断面模式図である。
【図３】圧縮機のケーシングの模式図である。
【図４】ケーシングの中子の構成模式図である。
【図５】中子における吸引リング溝の模式図である。
【図６】実施例における初期位相角θ０の位置模式図である。
【図７】異なる初期位相角θ０に対応する吸引リング溝の軸方向距離Ｓｒ値の円周方向における分布模式図である。
【図８】溝の軸方向距離が正弦分布である非軸対称自己循環ケーシングトリートメントと、ケーシングトリートメントのない場合の圧縮機の性能比較図である。
【図９】溝の軸方向距離が正弦分布である非軸対称自己循環ケーシングトリートメントと、溝の軸方向距離が円周方向の位置に関わらず一定である軸対称自己循環ケーシングトリートメントの圧縮機の性能比較図である。
【図１０】圧縮機のケーシングの模式図である。
【図１１】ケーシングの中子の構成模式図である。
【図１２】中子における吸引リング溝の模式図である。
【図１３】異なる初期位相角θ０に対応する吸引リング溝の幅ｂｒの分布模式図である。
【図１４Ａ】実施例２における正規化質量流量と圧力比の関係図である。
【図１４Ｂ】実施例２における正規化質量流量と効率の関係図である。
【発明を実施するための形態】
【００１９】
以下、本発明を実施するための形態を図面に基づいて説明する。なお、各図において共通する部分には同一の符号を付し、重複した説明を省略する。
【００２０】
（第１実施形態）
図２Ａ、図２Ｂ、図３〜図５は、本発明の第１実施形態を示す模式図であり、図２Ａはケーシングの外殻５の正面模式図、図２Ｂは半断面模式図、図３はケーシングの模式図、図４はケーシングの中子６の構成模式図、図５は中子における吸引リング溝の模式図である。
【００２１】
本発明の遠心圧縮機は、図１Ａと図１Ｂに示したように、ケーシングの内周面に、吸引リング溝１、リング案内路２、及び還流リング溝３を有し自己循環流路を形成する非軸対称自己循環ケーシングトリートメントを有する。
自己循環流路とは、吸引リング溝１、リング案内路２、及び還流リング溝３により、インペラ全羽根前縁より下流側位置からインペラ全羽根前縁より上流側位置へ流体を戻す還流路を意味する。
【００２２】
また、第１実施形態の遠心圧縮機のケーシング１０は、図３に示すように、外殻５と中子６からなり、吸引リング溝１は、中子６の壁面に設けられ、外殻５の内壁面と中子６の外壁面がリング案内路２と還流リング溝３を形成する。
【００２３】
第１実施形態の非軸対称自己循環ケーシングトリートメントは、吸引リング溝１の軸方向距離、すなわちインペラ全羽根前縁４に対する、吸引リング溝１の上流側端面１ａの軸方向距離Ｓｒが、円周方向において正弦状に分布している。
【００２４】
また図３に示すように、第１実施形態において、軸方向距離Ｓｒは、数式（１）で表される。
Ｓｒ＝Ａ・ｓｉｎ（α＋θ０）＋Ａ０        ・・・（１）
【００２５】
また、吸引リング溝１の軸方向距離Ｓｒの平均値Ａ０とインペラ直径Ｄとの比率が、０．０５≦｜Ａ０／Ｄ｜＜０．２の範囲であり、軸方向距離Ｓｒの分布の振幅Ａと吸引リング溝１の軸方向距離Ｓｒの平均値Ａ０との比率は０．１＜｜Ａ／Ａ０｜＜０．３５の範囲である。
【００２６】
設計による円周方向の正弦分布に応じた吸引リング溝１の軸方向距離は、中子６の周方向円柱面において図５に一点鎖線で示した平面に含まれることが、幾何学的証明から明らかになっている。
この特性により、設計された吸引リング溝１を容易に加工し、調整することができる。すなわち、回転軸を中心とする直線の傾きを変えることにより、軸方向距離Ｓｒ分布の振幅Ａを変えることができる。また、直線を上下に平行移動することにより、吸引リング溝１の軸方向距離Ｓｒの平均値Ａ０とインペラ直径Ｄとの比率と、軸方向距離Ｓｒの分布の振幅Ａと吸引リング溝１の軸方向距離Ｓｒの平均値Ａ０との比率とを変化させることができる。
【００２７】
図２Ａ、図２Ｂ、図３において、ケーシングの外殻５を固定し、かつ中子６をインペラ１３（図１Ａと図１Ｂを参照）の回転軸中心Ｚ−Ｚのまわりに回転して、組み立て時の両者の対向位置を変更することで、異なる初期位相角θ０に対応する吸引リング溝１の軸方向距離Ｓｒの正弦分布が得られる。
すなわち、ケーシング１０の外殻５と中子６は、ネジ７によって連結される。ケーシング１０の外殻５には、周方向にｎ個（この例では４つ）のネジ孔が均等に配置されており、ｎ個の異なる初期位相角θ０に対応する分布曲線が得られる。圧縮機の性能試験によって、ｎ個の異なる初期位相角θ０から最適な初期位相角θ０を確定する。
【００２８】
図６は、実施例における初期位相角θ０の位置模式図であり、図７は、異なる初期位相角θ０に対応する吸引リング溝の軸方向距離Ｓｒ値の円周方向における分布模式図である。
図２Ａと図２Ｂにおいて、ケーシング１０の外殻５に合計４つのネジ孔が設けられているので、図７に示される４種の異なる吸引リング溝の軸方向距離Ｓｒの正弦分布が得られる。
【００２９】
図７において、実線は、吸引リング溝１の軸方向距離Ｓｒの周方向における正弦分布であり、周方向の初期位相角θ０の選定を変えることに基づき、多様な表現形式がある。そのうち、θ０は初期位相角であり、その範囲は０°≦θ０≦３６０°であり、図中、ケーシング１０の周方向角度αの定義域がθ０≦α≦θ０＋３６０°である。
【００３０】
本発明の遠心圧縮機の作動において、低流量モード時に、自己循環ケーシングトリートメントの流路内の空気は、吸引リング溝１から流入し、リング案内路２と還流リング溝３を経て流出する。
具体的な作動原理は、自己循環ケーシングトリートメントの吸引リング溝１がインペラ翼端領域の気体を吸引し、リング案内路２を経て、還流リング溝３から気体を放出することにある。
【００３１】
還流リング溝３から気体を放出することにより、（１）吸引リング溝１の軸方向距離Ｓｒにおけるインペラ翼端領域の気体に対する吸引作用が、インペラ翼端の隙間の漏れ渦が吸引リング溝１に吸い取られることを引き起こして、漏れ流動流路が遮断され、（２）還流が圧縮機入口に放出され、還流リング溝３内の流動の連通により、圧縮機入口の流れの均等性を実現し、流路の衝撃波を取り除き、（３）還流が入口流量を増大させ、インペラ翼入口の正の迎角を小さくすると共に、吸引リング溝１の吸引作用が、圧縮機出口の背圧を低減し、逆圧勾配が小さくなって、インペラ翼表面の境界層の分離を効果的に抑制した。
円周方向上の対応する位置で還流効果がより良くなるように、円周方向において正弦状に分布した吸引リング溝１の軸方向距離Ｓｒを用いることで、還流の作用をより効果的に用いて、圧縮機の安定作動範囲を拡大する。
【００３２】
閉塞に近い作動モードにおいて、自己循環ケーシングトリートメントの流路内の空気は、還流リング溝３とリング案内路２を経て、吸引リング溝１より放出される。還流リング溝３は、入口の周方向における流動を連通させることで、圧縮機入口の流動の均等性を増加させて、入口の衝撃波を弱め、吸引リング溝１の放出流は、流通能力を強化することで、閉塞境界を拡大した。ただし、閉塞に近い作動モードの吸引動力の不足により、該ケーシングトリートメントの閉塞境界に対する拡大は、失速境界に対する拡大より著しくない。
【実施例１】
【００３３】
以下は、あるサイズの遠心圧縮機に対し、軸方向距離Ｓｒが正弦分布である遠心圧縮機の非軸対称自己循環ケーシングトリートメントを採用することで、安定作動範囲を拡大する例である。
遠心圧縮機の非軸対称ケーシングトリートメントのＳｒの分布は、Ｓｒ＝ｓｉｎ（α＋１８０°）＋４である。初期位相角θ０は図６においてθ０＝１８０°の位置である。
図８は、溝の軸方向距離Ｓｒが正弦分布である非軸対称自己循環ケーシングトリートメントと、ケーシングトリートメントのない場合の圧縮機の性能比較図である。図中の符号「Ｇ」は、実施例１の遠心圧縮機を採用する場合の性能ＭＡＰ図であり、符号「Ｎｏ ＣＴ」は、ケーシングトリートメントのない場合の遠心圧縮機のＭＡＰ図である。
【００３４】
図９は、溝の軸方向距離Ｓｒが正弦分布である非軸対称自己循環ケーシングトリートメントと、溝の軸方向距離Ｓｒが円周方向の位置に関わらず一定である軸対称自己循環ケーシングトリートメントの圧縮機の性能比較図である。図中の符号「Ｇ」は、実施例１の遠心圧縮機を採用する場合の性能ＭＡＰ図であり、符号「Ｃ」は、溝の軸方向距離が円周方向の位置に関わらず一定である軸対称自己循環ケーシングトリートメントを採用する場合の遠心圧縮機のＭＡＰ図である。
【００３５】
図８と図９の性能比較によって、実施例１の溝の軸方向距離Ｓｒが正弦分布である遠心圧縮機の非軸対称自己循環ケーシングトリートメントを採用することにより、ケーシングトリートメントのない場合及び軸対称自己循環ケーシングトリートメントを採用する場合に対し、圧縮機の安定作動範囲を低流量側に拡大できると共に、効率が基本的に変わらないように維持することができることが確認された。
【００３６】
（第２実施形態）
図１０〜図１２は、本発明の第２実施形態を示す模式図であり、図１０は圧縮機のケーシング１０の模式図、図１１はケーシング１０の中子６の構成模式図、図１２は、中子６における吸引リング溝１の模式図である。
また、図２Ａと図２Ｂは第１実施形態と共通である。【００３７】
本発明の遠心圧縮機は、図１Ａと図１Ｂに示したように、ケーシングの内周面に、吸引リング溝１、リング案内路２、及び還流リング溝３を有し、自己循環流路を形成する非軸対称自己循環ケーシングトリートメントを有する。
【００３８】
また、第２実施形態の遠心圧縮機のケーシング１０は、図１０に示すように、外殻５と中子６からなり、吸引リング溝１は、中子６の壁面に設けられ、外殻５の内壁面と中子６の外壁面がリング案内路２と還流リング溝３を形成する。【００３９】
第２実施形態の非軸対称自己循環ケーシングトリートメントは、吸引リング溝１の幅ｂｒが、円周方向において正弦状に分布している。
【００４０】
また図１０に示すように、第２実施形態において、吸引リング溝１の幅ｂｒは、数式（２）で表せられる。
ｂｒ＝Ａ・ｓｉｎ（α＋θ０）＋Ａ０        ・・・（２）
【００４１】
また、吸引リング溝１の幅ｂｒの平均値Ａ０とインペラ直径Ｄとの比率が、０．０１≦｜Ａ０／Ｄ｜＜０．１の範囲であり、幅ｂｒの分布の振幅Ａと吸引リング溝１の幅ｂｒの平均値Ａ０との比率は０．１＜｜Ａ／Ａ０｜＜０．３５の範囲である。【００４２】
図１２において、設計による正弦分布に応じた吸引リング溝１の下流側端面１ｂは、中子６の周方向円柱面において図１２に示した一点鎖線で示された平面に含まれていることが、幾何学的証明から明らかになっている。
この特性により、設計された吸引リング溝１を容易に加工し、調整することができる。すなわち、回転軸を中心とする直線の傾きを変えることにより、幅ｂｒ分布の振幅Ａを変えることができる。また、直線を上下に平行移動することにより、吸引リング溝１の幅ｂｒの平均値Ａ０とインペラ直径Ｄとの比率と、幅ｂｒの分布の振幅Ａと吸引リング溝１の幅ｂｒの平均値Ａ０との比率とを変化させることができる。【００４３】
図２Ａ、図２Ｂ、図１０、図１１において、ケーシング１０の外殻５を固定し、かつ中子６をインペラ１３（図１Ａ及び図１Ｂを参照）の回転軸中心Ｚ−Ｚのまわりに回転して、組み立て時の両者の対向位置を変更することで、異なる初期位相角θ０に対応する吸引リング溝１の幅ｂｒの円周方向の正弦分布が得られる。
すなわち、ケーシング１０の外殻５と中子６は、ネジ７によって連結され、ケーシング１０の外殻５には、周方向にｎ個（この例では４つ）のネジ孔が均等に配置されており、ｎ個の異なる初期位相角θ０に対応する分布曲線が得られ、圧縮機の性能試験によって、最適な初期位相角θ０を確定する。
【００４４】
図６は、第１実施形態と共通であり、実施例における初期位相角θ０の位置模式図である。
例えば、図２Ａと図２Ｂにおいて、ケーシングの外殻５に合計４つのネジ孔が開けられているので、図１３に示される４種の異なる吸引リング溝１の幅ｂｒの円周方向の正弦分布が得られる。【００４５】
図１３は、異なる初期位相角θ０に対応する吸引リング溝１の幅ｂｒの分布模式図である。
図１３において、実線は、吸引リング溝１の幅ｂｒの円周方向における正弦分布であり、周方向の初期位相角θ０の選定を変えることに基づき、多様な表現形式がある。そのうち、θ０は初期位相角であり、その範囲は０°≦θ０≦３６０°であり、図中、ケーシング１０の周方向角度αの定義域がθ０≦α≦θ０＋３６０°である。
【００４６】
本発明の遠心圧縮機の作動において、低流量モード時に、自己循環ケーシングトリートメントの流路内の空気は、吸引リング溝１から流入し、リング案内路２と還流リング溝３を経て流出する。
具体的な作動原理は、自己循環ケーシングトリートメントの吸引リング溝１がインペラ翼端領域の気体を吸引し、リング案内路２を経て、還流リング溝３から気体を放出することにある。【００４７】
還流リング溝３から気体を放出することにより、（１）吸引リング溝１の溝幅ｂｒにおけるインペラ翼端領域の気体に対する吸引作用が、インペラ翼端の隙間の漏れ渦が吸引リング溝１に吸い取られることを引き起こして、漏れ流動の流路が遮断され、（２）還流が圧縮機入口に放出され、還流リング溝３内の流動の連通により、圧縮機入口の流れの均等性を実現し、流路の衝撃波を取り除き、（３）還流が入口流量を増大させ、インペラ翼入口の正の迎角を小さくすると共に、吸引リング溝１の吸引作用が、圧縮機出口の背圧を低減し、逆圧勾配が小さくなって、インペラ翼表面の境界層の分離を効果的に抑制した。
円周方向上の対応する溝幅で還流効果がより良くなるように、円周方向において正弦状に分布された吸引リング溝１の溝幅ｂｒを用いることで、還流の作用をより効果的に用いて、圧縮機の安定した作動範囲を拡大するようにする。【００４８】
閉塞に近い作動モードにおいて、自己循環ケーシングトリートメントの流路内の空気は、還流リング溝３とリング案内路２を経て、吸引リング溝１より放出される。還流リング溝３は、入口の周方向における流動を連通させることで、圧縮機入口の流動の均等性を増加させて、入口の衝撃波を弱め、吸引リング溝１の放出流は、流通能力を強化することで、閉塞境界を拡大した。ただし、閉塞に近い作動モードの吸引動力の不足により、該ケーシングトリートメントの閉塞境界に対する拡大は、失速境界に対する拡大より著しくない。
【実施例２】
【００４９】
以下は、あるサイズの遠心圧縮機に対し、吸引リング溝１の幅ｂｒが正弦分布である遠心圧縮機の非軸対称自己循環ケーシングトリートメントを採用することで、安定作動範囲を拡大する例である。
【００５０】
遠心圧縮機の非軸対称ケーシングトリートメントの幅ｂｒの分布は、ｂｒ＝ｓｉｎ（α＋１８０°）＋４．５である。初期位相角θ０は図６において、θ０＝１８０°の位置である。
【００５１】
図１４Ａと図１４Ｂは、溝幅が正弦分布である非軸対称自己循環ケーシングトリートメント（「非軸対称自己循環ＣＴ」）と、軸対称自己循環ケーシングトリートメント「軸対称自己循環ＣＴ」）と、ケーシングトリートメントのない（「ＣＴなし」）の場合の圧縮機の性能比較図である。
図１４Ａは実施例２における正規化質量流量と圧力比の関係図である。また、図１４Ｂは、実施例２における正規化質量流量と効率の関係図である。
【００５２】
図１４Ａと図１４Ｂの性能比較によって、本発明の溝幅が正弦分布である遠心圧縮機の非軸対称自己循環ケーシングトリートメント（非軸対称自己循環ＣＴ）を採用することにより、ケーシングトリートメントのない場合（ＣＴなし）及び軸対称自己循環ケーシングトリートメント（軸対称自己循環ＣＴ）を採用する場合に対し、圧縮機の安定作動範囲を低流量側に拡大できると共に、効率が基本的に変わらないように維持することができることが確認された。
【００５３】
上述したように、従来の技術に比べ、本発明は、吸引リング溝１の軸方向距離Ｓｒ又は幅ｂｒが、正弦状に分布する非軸対称自己循環ケーシングトリートメントを採用することで、軸対称自己循環ケーシングトリートメントよりも遠心圧縮機の安定作動範囲を大幅に拡大すると共に、効率が基本的に変わらないように維持することができる、ことが実施例１，２で確認された。
【００５４】
なお本発明は上述した実施の形態に限定されず、本発明の要旨を逸脱しない範囲で種々変更を加え得ることは勿論である。
【符号の説明】
【００５５】
１  吸引リング溝、
１ａ  上流側端面、１ｂ  下流側端面、
２  リング案内路、
３  還流リング溝、４  インペラ全羽根前縁、
５  外殻、６  中子、７  ネジ、
１０  ケーシング、１１  インペラ全羽根
１２  インペラ半羽根、１３  インペラ
【図１Ａ】
0005430685.tif 000002
【図１Ｂ】
0005430685.tif 000003
【図２Ａ】
0005430685.tif 000004
【図２Ｂ】
0005430685.tif 000005
【図３】
0005430685.tif 000006
【図４】
0005430685.tif 000007
【図５】
0005430685.tif 000008
【図６】
0005430685.tif 000009
【図７】
0005430685.tif 000010
【図８】
0005430685.tif 000011
【図９】
0005430685.tif 000012
【図１０】
0005430685.tif 000013
【図１１】
0005430685.tif 000014
【図１２】
0005430685.tif 000015
【図１３】
0005430685.tif 000016
【図１４Ａ】
0005430685.tif 000017
【図１４Ｂ】
0005430685.tif 000018